(57)【要約】  本発明は、移動端末機の位置決定方法に関するものであって、外部クライアントの位置サービス要請に応答して位置決定対象端末のホームＰＬＭＮ情報を確認し、前記ホームＰＬＭＮ情報に基づいて、前記位置決定対象端末の訪問ＰＬＭＮ情報を確認する。そして、前記訪問ＰＬＭＮが測位補助情報を提供しない領域である場合、前記ホームＰＬＭＮで訪問ＰＬＭＮの無線局識別子を利用して前記訪問ＰＬＭＮの測位補助情報を算出する。そして、前記位置決定対象端末が接続中の無線接続網に前記測位補助情報を伝達する。したがって、本発明は、移動端末機が属した通信網や地域に関わらず、移動端末機の位置情報が獲得できる長所がある。したがって、本発明は、測位補助情報を提供しない地域に位置した移動端末機の位置が決定できる効果がある。
2007520151.tif 000002
【特許請求の範囲】
【請求項１】
クライアントの位置サービス要請に応答して目標端末のホーム公衆移動通信網（ＰＬＭＮ）情報を確認する第１ステップと、
前記ホーム公衆移動通信網（ＰＬＭＮ）情報に基づいて前記目標端末の訪問公衆移動通信網（ＰＬＭＮ）情報を確認する第２ステップと、
前記訪問公衆移動通信網（ＰＬＭＮ）の所定の位置情報を利用して前記ホーム公衆移動通信網で前記訪問公衆移動通信網（ＰＬＭＮ）の測位補助情報を算出する第３ステップと、
前記目標端末の訪問公衆移動通信網（ＰＬＭＮ）に前記測位補助情報を伝達する第４ステップと、
を含むことを特徴とする移動端末機の位置決定方法。
【請求項２】
前記目標端末の訪問公衆移動通信網情報を確認するステップは、前記訪問公衆移動通信網の測位補助情報の提供可能の可否を判断するステップを更に含むことを特徴とする請求項１記載の移動端末機の位置決定方法。
【請求項３】
前記所定の位置情報は、前記目標端末が位置した訪問公衆移動通信網の無線局識別子を含むことを特徴とする請求項１記載の移動端末機の位置決定方法。
【請求項４】
前記測位補助情報を目標端末に伝送する第５ステップと、
前記目標端末がその測位補助情報を利用して目標端末のＧＰＳ疑似距離を測定した後、その結果を前記ホーム公衆移動通信網（ＰＬＭＮ）に伝達する第６ステップと、
前記目標端末のＧＰＳ疑似距離を利用して前記ホーム公衆移動通信網（ＰＬＭＮ）で前記目標端末の位置を計算する第７ステップと、
を更に含むことを特徴とする請求項１記載の移動端末機の位置決定方法。
【請求項５】
前記測位補助情報を目標端末に伝送する第８ステップと、
前記目標端末がその測位補助情報を利用して目標端末のＧＰＳ疑似距離を測定した後、そのＧＰＳ疑似距離を利用して目標端末の位置を計算する第９ステップと、
を更に含むことを特徴とする請求項１記載の移動端末機の位置決定方法。
【請求項６】
前記第２ステップは、移動端末機の登録者情報及びローミング情報を格納するサーバーから前記目標端末の訪問公衆移動通信網（ＰＬＭＮ）のゲートウェイパケット無線サービス支援ノード（ＧＧＳＮ）に対するＩＰ住所を確認することを特徴とする請求項１記載の移動端末機の位置決定方法。
【請求項７】
前記第２ステップは、移動端末機の登録者情報及びローミング情報を格納するサーバーから前記目標端末の訪問公衆移動通信網（ＰＬＭＮ）のゲートウェイパケット無線サービス支援ノード（ＧＧＳＮ）に対するＩＰ住所を確認することを特徴とする請求項２記載の移動端末機の位置決定方法。
【請求項８】
前記第２ステップは、移動端末機の登録者情報及びローミング情報を格納するサーバーから前記目標端末の訪問公衆移動通信網（ＰＬＭＮ）のゲートウェイパケット無線サービス支援ノード（ＧＧＳＮ）に対するＩＰ住所を確認することを特徴とする請求項３記載の移動端末機の位置決定方法。
【請求項９】
前記第２ステップは、移動端末機の登録者情報及びローミング情報を格納するサーバーから前記目標端末の訪問公衆移動通信網（ＰＬＭＮ）のゲートウェイパケット無線サービス支援ノード（ＧＧＳＮ）に対するＩＰ住所を確認することを特徴とする請求項４記載の移動端末機の位置決定方法。
【請求項１０】
前記第２ステップは、移動端末機の登録者情報及びローミング情報を格納するサーバーから前記目標端末の訪問公衆移動通信網（ＰＬＭＮ）のゲートウェイパケット無線サービス支援ノード（ＧＧＳＮ）に対するＩＰ住所を確認することを特徴とする請求項５記載の移動端末機の位置決定方法。
【請求項１１】
前記第３ステップは、前記目標端末が位置する訪問公衆移動通信網の地理的情報とＧＰＳ衛星軌道を計算した後、その計算結果を利用して有効な測位補助情報を算出することを特徴とする請求項１記載の移動端末機の位置決定方法。
【請求項１２】
前記第３ステップは、前記目標端末が位置する訪問公衆移動通信網の地理的情報とＧＰＳ衛星軌道を計算した後、その計算結果を利用して有効な測位補助情報を算出することを特徴とする請求項２記載の移動端末機の位置決定方法。
【請求項１３】
前記第３ステップは、前記目標端末が位置する訪問公衆移動通信網の地理的情報とＧＰＳ衛星軌道を計算した後、その計算結果を利用して有効な測位補助情報を算出することを特徴とする請求項３記載の移動端末機の位置決定方法。
【請求項１４】
前記第３ステップは、前記目標端末が位置する訪問公衆移動通信網の地理的情報とＧＰＳ衛星軌道を計算した後、その計算結果を利用して有効な測位補助情報を算出することを特徴とする請求項４記載の移動端末機の位置決定方法。
【請求項１５】
前記第３ステップは、前記目標端末が位置する訪問公衆移動通信網の地理的情報とＧＰＳ衛星軌道を計算した後、その計算結果を利用して有効な測位補助情報を算出することを特徴とする請求項５記載の移動端末機の位置決定方法。
【請求項１６】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項１記載の移動端末機の位置決定方法。
【請求項１７】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項２記載の移動端末機の位置決定方法。
【請求項１８】
前記第４ステップは、ネットワークの利用可能資源とトラフィック状況によりＧＰＳ初期信号獲得のための測位補助情報のみを伝達することを特徴とする請求項１記載の移動端末機の位置決定方法。
【請求項１９】
前記第４ステップは、ネットワークの利用可能資源とトラフィック状況によりＧＰＳ初期信号獲得のための測位補助情報のみを伝達することを特徴とする請求項２記載の移動端末機の位置決定方法。
【請求項２０】
前記第４ステップは、ネットワークの利用可能資源とトラフィック状況によりＧＰＳ初期信号獲得のための測位補助情報のみを伝達することを特徴とする請求項３記載の移動端末機の位置決定方法。
【請求項２１】
前記第４ステップは、ネットワークの利用可能資源とトラフィック状況によりＧＰＳ初期信号獲得のための測位補助情報のみを伝達することを特徴とする請求項４記載の移動端末機の位置決定方法。
【請求項２２】
前記第４ステップは、ネットワークの利用可能資源とトラフィック状況によりＧＰＳ初期信号獲得のための測位補助情報のみを伝達することを特徴とする請求項５記載の移動端末機の位置決定方法。
【請求項２３】
前記第４ステップは、前記測位補助情報、ホーム公衆移動通信網（ＰＬＭＮ）及び目標端末のＩＰ情報、そして位置情報要請命令をカプセル化して伝送することを特徴とする請求項１記載の移動端末機の位置決定方法。
【請求項２４】
前記第４ステップは、前記測位補助情報、ホーム公衆移動通信網（ＰＬＭＮ）及び目標端末のＩＰ情報、そして位置情報要請命令をカプセル化して伝送することを特徴とする請求項２記載の移動端末機の位置決定方法。
【請求項２５】
前記第４ステップは、前記測位補助情報、ホーム公衆移動通信網（ＰＬＭＮ）及び目標端末のＩＰ情報、そして位置情報要請命令をカプセル化して伝送することを特徴とする請求項３記載の移動端末機の位置決定方法。
【請求項２６】
前記第４ステップは、前記測位補助情報、ホーム公衆移動通信網（ＰＬＭＮ）及び目標端末のＩＰ情報、そして位置情報要請命令をカプセル化して伝送することを特徴とする請求項４記載の移動端末機の位置決定方法。
【請求項２７】
前記第４ステップは、前記測位補助情報、ホーム公衆移動通信網（ＰＬＭＮ）及び目標端末のＩＰ情報、そして位置情報要請命令をカプセル化して伝送することを特徴とする請求項５記載の移動端末機の位置決定方法。
【請求項２８】
目標端末の位置を決定するためのクライアント（Client）からの位置サービス要請に応答して、前記訪問公衆移動通信網（ＰＬＭＮ）が前記目標端末のホーム公衆移動通信網（ＰＬＭＮ）の情報を確認するステップと、
前記ホーム公衆移動通信網（ＰＬＭＮ）に前記目標端末の位置を計算するための測位補助情報を要請するステップと、
前記要請に応答してホーム公衆移動通信網（ＰＬＭＮ）で前記訪問公衆移動通信網（ＰＬＭＮ）の所定の位置補助情報を利用して前記訪問公衆移動通信網（ＰＬＭＮ）に位置した前記目標端末の測位補助情報を算出するステップと、
前記目標端末の訪問公衆移動通信網（ＰＬＭＮ）に前記測位補助情報を伝達するステップと、
を含むことを特徴とする移動端末機の位置決定方法。
【請求項２９】
前記訪問公衆移動通信網は、前記目標端末の位置サービス要請に応答して前記訪問公衆移動通信網で測位補助情報の提供可能の可否を判断するステップを更に含むことを特徴とする請求項２８記載の移動端末機の位置決定方法。
【請求項３０】
前記所定の位置補助情報は、前記目標端末が位置した訪問公衆移動通信網の無線局識別子を含むことを特徴とする請求項２８記載の移動端末機の位置決定方法。
【請求項３１】
前記測位補助情報を前記目標端末に伝送する第５ステップと、
前記目標端末がその測位補助情報を利用して前記目標端末のＧＰＳ疑似距離を測定した後、その結果を前記公衆移動通信網（ＰＬＭＮ）に伝達する第６ステップと、
前記目標端末のＧＰＳ疑似距離を利用して前記ホーム公衆移動通信網（ＰＬＭＮ）で前記目標端末の位置を計算する第７ステップと、
を更に含むことを特徴とする請求項２８記載の移動端末機の位置決定方法。
【請求項３２】
前記測位補助情報を前記目標端末に伝送する第８ステップと、
前記目標端末が前記測位補助情報を利用して前記目標端末のＧＰＳ疑似距離を測定した後、そのＧＰＳ疑似距離を利用して前記目標端末の位置を計算する第９ステップと、
を更に含むことを特徴とする請求項２８記載の移動端末機の位置決定方法。
【請求項３３】
前記第１ステップは、前記訪問公衆移動通信網（ＰＬＭＮ）のサービスパケット無線サービス支援ノード（ＳＧＳＮ）が前記訪問位置登録サーバー（ＶＬＲ）からホーム公衆移動通信網（ＰＬＭＮ）の位置サービスセンター（ＧＭＬＣ）に対するＩＰ住所を受信することを特徴とする請求項２８記載の移動端末機の位置決定方法。
【請求項３４】
前記第１ステップは、前記訪問公衆移動通信網（ＰＬＭＮ）のサービスパケット無線サービス支援ノード（ＳＧＳＮ）が前記訪問位置登録サーバー（ＶＬＲ）からホーム公衆移動通信網（ＰＬＭＮ）の位置サービスセンター（ＧＭＬＣ）に対するＩＰ住所を受信することを特徴とする請求項２９記載の移動端末機の位置決定方法。
【請求項３５】
前記第１ステップは、前記訪問公衆移動通信網（ＰＬＭＮ）のサービスパケット無線サービス支援ノード（ＳＧＳＮ）が前記訪問位置登録サーバー（ＶＬＲ）からホーム公衆移動通信網（ＰＬＭＮ）の位置サービスセンター（ＧＭＬＣ）に対するＩＰ住所を受信することを特徴とする請求項３０記載の移動端末機の位置決定方法。
【請求項３６】
前記第１ステップは、前記訪問公衆移動通信網（ＰＬＭＮ）のサービスパケット無線サービス支援ノード（ＳＧＳＮ）が前記訪問位置登録サーバー（ＶＬＲ）からホーム公衆移動通信網（ＰＬＭＮ）の位置サービスセンター（ＧＭＬＣ）に対するＩＰ住所を受信することを特徴とする請求項３１記載の移動端末機の位置決定方法。
【請求項３７】
前記第１ステップは、前記訪問公衆移動通信網（ＰＬＭＮ）のサービスパケット無線サービス支援ノード（ＳＧＳＮ）が前記訪問位置登録サーバー（ＶＬＲ）からホーム公衆移動通信網（ＰＬＭＮ）の位置サービスセンター（ＧＭＬＣ）に対するＩＰ住所を受信することを特徴とする請求項３２記載の移動端末機の位置決定方法。
【請求項３８】
前記第３ステップは、前記目標端末が位置する訪問公衆移動通信網の地理的情報とＧＰＳ衛星軌道を計算した後、その計算結果を利用して有効な測位補助情報を算出することを特徴とする請求項２８記載の移動端末機の位置決定方法。
【請求項３９】
前記第３ステップは、前記目標端末が位置する訪問公衆移動通信網の地理的情報とＧＰＳ衛星軌道を計算した後、その計算結果を利用して有効な測位補助情報を算出することを特徴とする請求項２９記載の移動端末機の位置決定方法。
【請求項４０】
前記第３ステップは、前記目標端末が位置する訪問公衆移動通信網の地理的情報とＧＰＳ衛星軌道を計算した後、その計算結果を利用して有効な測位補助情報を算出することを特徴とする請求項３０記載の移動端末機の位置決定方法。
【請求項４１】
前記第３ステップは、前記目標端末が位置する訪問公衆移動通信網の地理的情報とＧＰＳ衛星軌道を計算した後、その計算結果を利用して有効な測位補助情報を算出することを特徴とする請求項３１記載の移動端末機の位置決定方法。
【請求項４２】
前記第３ステップは、前記目標端末が位置する訪問公衆移動通信網の地理的情報とＧＰＳ衛星軌道を計算した後、その計算結果を利用して有効な測位補助情報を算出することを特徴とする請求項３２記載の移動端末機の位置決定方法。
【請求項４３】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする移動端末機の位置決定方法。
【請求項４４】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項２９記載の移動端末機の位置決定方法。
【請求項４５】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項３０記載の移動端末機の位置決定方法。
【請求項４６】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項３１記載の移動端末機の位置決定方法。
【請求項４７】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項３２記載の移動端末機の位置決定方法。
【請求項４８】
前記第４ステップは、ネットワークの利用可能資源とトラフィック状況によりＧＰＳ初期信号獲得のための測位補助情報のみを前記無線接続網に伝達することを特徴とする請求項２８記載の移動端末機の位置決定方法。
【請求項４９】
前記第４ステップは、ネットワークの利用可能資源とトラフィック状況によりＧＰＳ初期信号獲得のための測位補助情報のみを前記無線接続網に伝達することを特徴とする請求項２９記載の移動端末機の位置決定方法。
【請求項５０】
前記第４ステップは、ネットワークの利用可能資源とトラフィック状況によりＧＰＳ初期信号獲得のための測位補助情報のみを前記無線接続網に伝達することを特徴とする請求項３０記載の移動端末機の位置決定方法。
【請求項５１】
前記第４ステップは、ネットワークの利用可能資源とトラフィック状況によりＧＰＳ初期信号獲得のための測位補助情報のみを前記無線接続網に伝達することを特徴とする請求項３１記載の移動端末機の位置決定方法。
【請求項５２】
前記第４ステップは、ネットワークの利用可能資源とトラフィック状況によりＧＰＳ初期信号獲得のための測位補助情報のみを前記無線接続網に伝達することを特徴とする請求項３２記載の移動端末機の位置決定方法。
【請求項５３】
前記第４ステップは、前記測位補助情報、ホーム公衆移動通信網（ＰＬＭＮ）及び目標端末のＩＰ情報、そして位置情報要請命令をカプセル化して伝送することを特徴とする請求項２８記載の移動端末機の位置決定方法。
【請求項５４】
前記第４ステップは、前記測位補助情報、ホーム公衆移動通信網（ＰＬＭＮ）及び目標端末のＩＰ情報、そして位置情報要請命令をカプセル化して伝送することを特徴とする請求項２９記載の移動端末機の位置決定方法。
【請求項５５】
前記第４ステップは、前記測位補助情報、ホーム公衆移動通信網（ＰＬＭＮ）及び目標端末のＩＰ情報、そして位置情報要請命令をカプセル化して伝送することを特徴とする請求項３０記載の移動端末機の位置決定方法。
【請求項５６】
前記第４ステップは、前記測位補助情報、ホーム公衆移動通信網（ＰＬＭＮ）及び目標端末のＩＰ情報、そして位置情報要請命令をカプセル化して伝送することを特徴とする請求項３１記載の移動端末機の位置決定方法。
【請求項５７】
前記第４ステップは、前記測位補助情報、ホーム公衆移動通信網（ＰＬＭＮ）及び目標端末のＩＰ情報、そして位置情報要請命令をカプセル化して伝送することを特徴とする請求項３２記載の移動端末機の位置決定方法。
【発明の詳細な説明】
【技術分野】
【０００１】
本発明は、移動端末機の位置決定方法に関し、特に、位置決定時に必要なＧＰＳ補助情報を提供しない地域に位置した移動端末機の位置決定方法に関する。
【背景技術】
【０００２】
移動端末機が軽薄短小化し、移動通信網が全世界的に拡張されることにつれて、移動通信サービス利用者は旅行中にも自身の移動端末機を携帯して、自身の移動端末機を利用して通話及びその他の付加サービスを利用することを願う。また、グローバル移動通信システムの環境下で多くの使用者は移動端末機の位置情報を利用した応用サービス（例えば、交通及び生活情報等）を提供受けようとしており、一部国家や移動通信網地域（例えば、ＳＫテレコムやＫＴＦなど、韓国移動通信網領域やＮＴＴ  ＤｏＣｏＭｏ、Ｓｐｒｉｎｔ  ＰＣＳ、ＫＤＤＩ、Ｖｏｄａｆｏｎｅ等、日本、欧米地域移動通信網領域等）では、このような移動端末機を利用した自身の位置情報獲得システムを商用化している。
【０００３】
図１は、一般的な移動通信システムの構造を概略的に示す図である。特に、図１は、ＧＳＭ（Global System for Mobile communication）またはＵＭＴＳ（Universal Mobile Telecommunication System）移動通信システムの構造を概略的に示している。図１を参照すれば、ＵＭＴＳ移動通信システムは、コアネットワーク（ＣＮ：Core Network；以下、“ＣＮ”と称する）１１０、複数の無線ネットワークサブシステム（ＲＮＳ：Radio Network Subsystem；以下、“ＲＮＳ”と称する）１２０、１３０及び使用者端末機（ＵＥ：User Equipment；以下、“ＵＥ”と称する）１５０から構成される。
【０００４】
ＣＮ１１０は、ＵＥ１５０の情報を管理し、移動性管理（mobility management）、セッション管理（session management）、及び通話管理（call management）機能を遂行する。
【０００５】
ＲＮＳ１２０または１３０は、ＣＮ１１０から伝えられたデータを無線インターフェース（interface）を介して使用者に伝達する役割を担当する。このために、ＲＮＳ１２０または１３０は、無線ネットワーク制御器（ＲＮＣ：Radio Network Controller；以下、“ＲＮＣ”と称する）及び複数個の基地局（Ｎｏｄｅ Ｂ）を含む。一例として、ＲＮＳ１２０はＲＮＣ１２１とノードＢ１２３及びノードＢ１２５を含み、ＲＮＳ１３０はＲＮＣ１３１とノードＢ１３３及びノードＢ１３５を含む。
【０００６】
この際、ＲＮＣ１２１または１３１は、その動作によって、サービング（serving）ＲＮＣ（以下、“ＳＲＮＣ”と称する）、ドリフト（drift）ＲＮＣ（以下、“ＤＲＮＣ”と称する）及び制御（controlling）ＲＮＣ（以下、“ＣＲＮＣ”と称する）に分類される。即ち、対応するＲＮＣに属するＵＥの情報を管理し、ｌｕインターフェース（interface）を介してそのＵＥとＣＮ１１０とのデータ伝送を担当するＲＮＣを“ＳＲＮＣ”とし、他のＲＮＣに属したＵＥとそのＵＥが属したＲＮＣ（例えば、ＳＲＮＣ）間のデータ伝送を中継するＲＮＣを“ＤＲＮＣ”とし、基地局の各々を制御するＲＮＣを“ＣＲＮＣ”という。図１の例において、ＵＥ１５０の情報をＲＮＣ１２１が管理すれば、ＲＮＣ１２１はＵＥ１５０に対する“ＳＲＮＣ”として動作するものであり、ＵＥ１５０が移動してＵＥ１５０とＲＮＣ１２１がＲＮＣ１３１を介してデータを送受信すれば、ＲＮＣ１３１はＵＥ１５０に対する“ＤＲＮＣ”として動作するものであり、前記ＵＥ１５０と通信している基地局（ノードＢ）１２５を制御するＲＮＣ１２１が前記基地局１２５の“ＣＲＮＣ”となるものである。図１の例において、ＵＥ１５０の情報とデータはＵＥ１５０の“ＳＲＮＣ”であるＲＮＣ１２１を経てＣＮ１１０と送受信される。
【０００７】
前記のような移動通信網において、ＵＥの位置を決定する位置決定技術は多様であり、代表的に次のように３種類に分類できる。
【０００８】
第１に、ＵＥの位置に最も近く置かれているセル（cell）の情報またはＵＥを管理するセル（cell）の情報を利用してＵＥの位置をセル単位で決定する方法がある。第２に、ノード（node）ＢとＵＥとの間の測定信号を利用して信号の強さ、または電波の伝達時間から得られる電波到達時間（Time of Arrival；以下、“ＴＯＡ”と称する）、または、電波到達時間差（Time Difference of Arrival；以下、“ＴＤＯＡ”と称する）を算出し、そのＴＯＡまたはＴＤＯＡを三角測量法に適用してＵＥの位置を決定するネットワーク基盤の位置決定技術がある。第３に、米国国防省で開発されたＧＰＳ（Global Positioning System；以下、ＧＰＳと称する）を利用してＵＥの位置を決定する方法がある。このように、ＧＰＳを利用した位置決定方法のうち、特に、ＧＰＳの技術を補完して移動通信網に適用したものがネットワーク助けＧＰＳ方式（Network-Assisted GPS；以下、“Network-AGPS”と称する）という。
【０００９】
ネットワークの外部の位置サービスクライアント（Location Service Client；以下、“ＬＣＳクライアント”と称する）が所定ＵＥに対する位置を要請した場合、従来にはまず位置決定のための準備ステップを遂行し、位置測定に必要な信号を測定した後、これによって、 ＵＥの位置を計算する。即ち、前記準備ステップでＵＥの私生活制限のようなプライバシー指示子を検討し、ネットワークの資源を割り当て、ＬＣＳクライアント（client）により要請されたＱｏＳ（Quality of Service；以下、ＱｏＳと称する）、ＵＥ及びネットワークの性能によって位置決定技術を選択する。そして、位置測定ステップは、ＵＴＲＡＮ（Universal Terrestrial Random Access Network；以下、“ＵＴＲＡＮ”と称する）とＵＥとの間でなされ、前記準備ステップで選択した位置決定技術によって位置測定に必要な信号を位置測定信号を獲得した後、ＵＥの位置を計算する。この際、ＵＥは既にＭＳＩＳＤＮ（Mobile Subscriber ISDN Number；以下、“ＭＳＩＳＤＮ”と称する）またはＩＭＳＩ（International Mobile Subscriber Identity；以下、“ＩＭＳＩ”と称する）を知っている個別的なＵＥでなければならない。
【００１０】
前記のような位置測定ステップは、ＵＥがＣＮで自身が登録されているホームゲートウェイ_モバイル_測位センター（Gateway Mobile Location Center；以下、“ＧＭＬＣ”と称する）から外れて他のＧＭＬＣに位置している場合、または外部ＬＣＳクライアントやＵＥ自身の要請により位置サービスを要請する場合に頻繁に発生する。この際、ゲートウェイ_モバイル_測位センター（ＧＭＬＣ）は、所定の公衆移動通信網（ＰＬＭＮ：Public Land Mobile Network；以下、ＰＬＭＮと称する）に位置したＵＥの位置情報を管理する。また、ＰＬＭＮは地理的または論理的に区分可能な移動通信網をいい、１つのＰＬＭＮ内に少なくとも１つ以上のＧＭＬＣが存在できる。
【００１１】
図２は、従来の実施形態に係る移動端末機の位置決定方法に対する処理手順図である。特に、図２は外部ＬＣＳクライアント（以下、“クライアント”称する）１６０がＵＥ_Ａ１５５の位置を要請した場合に対する例を表している。
【００１２】
図２を参照すれば、クライアント１６０はクライアント１６０が連結されたＧＭＬＣ１１１に位置を知りたいＵＥに対する位置サービス（Location Service；以下、ＬＣＳと称する）を要請する（Ｓ１１）。即ち、ＵＥ_Ａ１５５の位置情報を要請する。この際、ＧＭＬＣ１１１はＵＥ_Ａ１５５の位置を要請するＧＭＬＣ１１１であるので、図２には“Requesting ＧＭＬＣ”と表記した。
【００１３】
そうすれば、要請（requesting）ＧＭＬＣ１１１は、ＨＬＲ／ＨＳＳ（Home Location Register/Home Subscriber Server）１１５にＵＥ_Ａ１５５のホームＰＬＭＮ情報を要請し、Ｓ１３ＨＬＲ／ＨＳＳ１１５からホームＰＬＭＮ情報を受信する（Ｓ１５）。この際、ＨＬＲ／ＨＳＳ１１５は、ＵＥの登録者情報及びローミング（roaming）情報を格納するサーバーであって、前記格納されたＵＥの登録者情報を利用して要請（requesting）ＧＭＬＣ１１１の要請に応答する。即ち、ＵＥ_Ａ１５５のホームＰＬＭＮ情報を要請（requesting）ＧＭＬＣ１１１に提供する（Ｓ１５）。
【００１４】
前記ステップＳ１５において、ＵＥ_Ａ１５５のホームＰＬＭＮ情報を受信した要請（requesting）ＧＭＬＣ１１１は、そのホームＰＬＭＮ情報を利用してＵＥ_Ａ１５５のホーム（home）ＧＭＬＣ１１３にＵＥ_Ａ１５５が位置しているＰＬＭＮの情報を要請する（Ｓ１７）。そうすれば、ホーム（home）ＧＭＬＣ１１３は、私生活保護認証ステップ（Ｓ１９）を遂行した後、ＨＬＲ／ＨＳＳ１１５からＵＥ_Ａ１５５の訪問ＰＬＭＮ情報を伝達受けて（Ｓ２１、Ｓ２３）、その訪問ＰＬＭＮ情報を利用してＵＥ_Ａ１５５が訪問中のＰＬＭＮのＧＭＬＣ１１７にＵＥ_Ａ１５５の位置情報を要請する（Ｓ２５）。この際、ＧＭＬＣ１１７はＵＥ_Ａ１５５が訪問中のＰＬＭＮのＧＭＬＣであるので、“訪問（visited）ＧＭＬＣ”と称する。
【００１５】
そうすれば、ＵＥ_Ａ１５５が訪問中のＰＬＭＮ内の訪問（visited）ＧＭＬＣ１１７、ＭＳＣ／ＳＧＳＮ（Mobile-services Switching Center／Serving GPRS（General Packet Radio Service）Support Node）１１９、無線接続網（Radio Access Network；以下、ＲＡＮと称する）１７０及びＵＥ_Ａ１５５ではＵＥ_Ａ１５５の位置を計算する（Ｓ２７）。
【００１６】
通常的に、移動通信網では、前記言及したように、セル識別技法、ＴＤＯＡ技法またはＡ−ＧＰＳ技法などの測位方法が使われる。したがって、ＵＥ_Ａ１５５が訪問中のＰＬＭＮも前記３つ方法のうち、いずれか１つの方法でＵＥ_Ａ１５５の位置を測定することができる。ところが、前記方法による位置測定は、ネットワーク資源の負担や位置計算の主体によって次のように２種類に分類されることができる。即ち、位置測定方法は、ＵＥが疑似距離情報と測位補助情報に基づいて自ら自身の位置を計算する方法（UE based）と、ＵＥがＧＰＳ衛星信号獲得補助情報（例えば、Ａ−ＧＰＳ補助情報）を利用して疑似距離情報を求めた後、その疑似距離情報を前記ＵＥのＬＣＳサービスを管理する該当ＲＮＣに伝達すれば、ネットワークでＵＥの位置を計算する方法（UE assisted）に分類されることができる。
【００１７】
図２の例において、ＵＥ_Ａ１５５の訪問（visited）ＧＭＬＣ１７に伝えられたＵＥ_Ａ１５５位置情報要請は、ＭＳＣ／ＳＧＳＮ１１９を経てＲＡＮ１７０に伝えられるが、仮りに該当ＲＮＣからＵＥ_Ａ１５５にＵＥ_Ａ１５５のＡ−ＧＰＳ補助情報を送ってＵＥ_Ａ１５５の位置をＵＥ_Ａ１５５で計算する場合、前者（UE based）となり、ＵＥ_Ａ１５５で獲得されたＧＰＳ疑似距離情報をＲＮＣに送ってＵＥ_Ａ１５５の位置をネットワークで計算することになれば後者（UE assisted）となる。
【００１８】
ステップＳ２７において、前記言及された２つの方法（UE based及びUE assisted）のうち、いずれか１つの方法でＵＥ_Ａ１５５の位置を計算したら、訪問（visited）ＧＭＬＣ１１７は、その結果（ＵＥ_Ａの位置情報）をホーム（home）ＧＭＬＣ１１３に伝達する。ホーム（home）ＧＭＬＣ１１３はまた認証ステップ（Ｓ３１）を経た後、訪問（visited）ＧＭＬＣ１１７から伝えられたＵＥ_Ａ１５５の位置情報を要請（requesting）ＧＭＬＣ１１１を経てクライアント１６０に伝達する（Ｓ３３、Ｓ３５）。
【００１９】
このような従来の移動端末機位置決定方法は、ＬＭＵ（Location Measurement Unit）やＳＭＬＣ（Serving Mobile Location Center）のような位置計算システムが存在しないＰＬＭＮ網に外部ＬＣＳクライアントやＵＥの要求に従うＵＥの測位サービスが要請された場合、対象ＵＥに対する位置が計算できない短所があった。即ち、対象ＵＥが位置した（即ち、訪問した）ＰＬＭＮから測位補助情報を提供しない場合、前記ＰＬＭＮ網は対象ＵＥまたはＬＣＳクライアントの測位要請に対して失敗を応答することになる。
【００２０】
特に、従来の移動端末機の位置決定方法は、ＬＣＳの基本的な測位サービスを提供しない移動通信網で独立型（standalone）ＧＰＳ測位より向上したサービス結果が得られない。例えば、従来の移動端末機の位置決定方法は、事故地域へ旅行中であるとか紛争地域へ移動するＬＣＳクライアントがＵＥの位置情報を得ることができなかったし、ＵＥが独立的にホームＰＬＭＮから提供するＬＣＳサービスを利用して旅行情報や地理情報が活用できなかったし、ＵＥが独立的に自身の端末機に格納されたＬＣＳサービスデータベースを利用するために自身の位置情報を確認することができなかった。
【発明の開示】
【発明が解決しようとする課題】
【００２１】
したがって、前記のような問題を解決するための本発明の第１の目的は、移動端末機が属した通信網や地域に関わらず、移動端末機の位置情報が獲得できる移動端末機の位置決定方法を提供することにある。
【００２２】
本発明の第２の目的は、測位補助情報を提供しない地域に位置した移動端末機の位置が決定できる移動端末機の位置決定方法を提供することにある。
【００２３】
本発明の第３の目的は、パケット網を通じて伝えられた位置決定対象移動端末機のホーム通信網位置情報を利用して、移動端末機の測位補助情報を生成する移動端末機の位置決定方法を提供することにある。
【００２４】
本発明の第４の目的は、効率的で、かつ精密な位置情報を獲得する移動端末機の位置決定方法を提供することにある。
【００２５】
本発明の第５の目的は、移動端末機がローミング（roaming）時にも位置サービスの連続性（continuity）と完全性（integrity）が提供できる移動端末機の位置決定方法を提供することにある。
【課題を解決するための手段】
【００２６】
前記の目的を達成するために、本発明で提供する移動端末機の位置決定方法は、クライアントの位置サービス要請に応答して位置決定対象端末、即ち位置を知りたい目標端末のホーム公衆移動通信網（ＰＬＭＮ）情報を確認する第１ステップと、前記ホーム公衆移動通信網（ＰＬＭＮ）情報に基づいて前記目標端末の訪問公衆移動通信網（ＰＬＭＮ）情報を確認する第２ステップと、前記訪問公衆移動通信網（ＰＬＭＮ）が測位補助情報を提供しない領域である場合、前記ホーム公衆移動通信網（ＰＬＭＮ）で訪問公衆移動通信網（ＰＬＭＮ）の無線局識別子のような概略的な位置情報を利用して前記訪問公衆移動通信網（ＰＬＭＮ）の測位補助情報を算出する第３ステップと、前記位置決定対象端末が接続中の訪問公衆移動通信網（ＰＬＭＮ）に前記測位補助情報を伝達する第４ステップと、を含むことを特徴とする。
【００２７】
また、前記の目的を達成するために、本発明で提供する移動端末機の位置決定方法は、測位補助情報を提供しない公衆移動通信網（ＰＬＭＮ）に訪問中の目標端末の位置サービス要請に応答して前記訪問公衆移動通信網（ＰＬＭＮ）のサービスパケット無線サービス支援ノード（ＳＧＳＮ）が訪問位置登録サーバー（ＶＬＲ）から前記目標端末のホーム公衆移動通信網（ＰＬＭＮ）のルーティング情報を確認する第１ステップと、前記ルーティング情報を利用して前記サービスパケット無線サービス支援ノード（ＳＧＳＮ）が前記ホーム公衆移動通信網（ＰＬＭＮ）に前記目標端末の位置を計算するための測位補助情報を要請する第２ステップと、前記要請に応答してホーム公衆移動通信網（ＰＬＭＮ）で前記訪問公衆移動通信網（ＰＬＭＮ）の無線局識別子を利用して訪問公衆移動通信網（ＰＬＭＮ）の測位補助情報を算出する第３ステップと、前記移動端末機が接続中の訪問公衆移動通信網（ＰＬＭＮ）の目標端末にに前記測位補助情報を伝達する第４ステップと、を含むことを特徴とする。
【産業上の利用可能性】
【００２８】
前記のような本発明は、移動端末機が属した通信網や地域に関わらず、移動端末機の位置情報が獲得できる長所がある。したがって、本発明は、測位補助情報を提供しない地域に位置した移動端末機の位置が決定できる効果がある。また、本発明は、パケット網を通じて伝えられた位置決定対象移動端末機のホーム通信網位置情報を利用して移動端末機の測位補助情報を生成することによって、効率的で、かつ精密な位置情報を獲得することができる。そして、本発明は移動端末機がローミング（roaming）時にも位置サービスの連続性（continuity）と完全性（integrity）を提供することができる長所がある。
【発明を実施するための最良の形態】
【００２９】
以下、本発明の好ましい実施形態を添付の図面を参照しつつ詳細に説明する。この際、本発明の要旨を曖昧にすることができる公知機能及び構成に対する詳細な説明は省略する。
【００３０】
図３は、本発明の実施形態によって移動端末機の位置を決定するためのネットワーク構造を示す図面である。特に、図３は、位置決定対象、即ち目標ＵＥ１５５の訪問（visited）ＰＬＭＮ２２０がＬＣＳを支援しない場合に対する例を示している。即ち、図３を参照すれば、対象ＵＥ１５５はノードＢ２２１とＳＲＮＣ（Serving RNC）２２２等の無線アクセス網（ＲＡＮ）を経て移動通信核心網ＣＮ２１０に連結される。ＵＥ１５５の位置決定のために必要なデータ（例えば、ＧＰＳ衛星信号から獲得された疑似距離、衛星識別子及びＧＰＳ信号獲得時の基準時間など、測位に必要な情報）は、ＩＰ（Internet Protocol）住所と共にカプセル化されてパケットデータサービスを支援するＳＧＳＮ２２３とＧＧＳＮ（Gateway GPRS Support Node）２２４を経た後、ＶＬＲ（Visitor Location Register）２２５に格納されたルーティング情報を利用して自身が属するホーム（home）ＰＬＭＮ２３０内のホーム（home）ＧＭＬＣ２３１に伝えられる。
【００３１】
ホーム（home）ＰＬＭＮ２３０では、内部のネットワーク資源を利用して位置サービス認証、許可及びＵＥ１５５の位置計算を遂行しなければならない。したがって、ホームＰＬＭＮ２３０は、内部にＳＧＳＮ２３２、ＨＬＲ／ＨＳＳ２３３、ＰＰＲ（Privacy Profile Register；以下、ＰＰＲと称する）２３４及びモバイル測位センター（Serving MLC（Mobile Location Center）２３５、Dedicated MLC２３６）などのネットワーク構成要素を必要とする。
【００３２】
一方、外部ＬＣＳクライアント（external LCS client）２４０は、ＵＥ１５５の位置を測定しようとする場合、ＩＭＳＩ、ＭＳＩＳＤＮ、またはＩＰ住所などのルーティング情報を利用して要請（requesting）ＧＭＬＣ２４１に接続した後、ホームＧＭＬＣ２３１にＬＣＳサービス要請をすることになる。
【００３３】
図４は、本発明の第１実施形態に係る移動端末機の位置決定方法に対する処理手順図である。特に、図４は外部ＬＣＳクライアント（以下、“クライアント”と称する）２４０がＵＥ_Ａ１５５の位置を要請した場合、ＵＥ_assisted方式でＵＥ_Ａ１５５位置を計算する方法に対する例を表している。
【００３４】
図４を参照すれば、クライアント２４０は、クライアントが連結されたＧＭＬＣ２４１に位置を知りたいＵＥに対する位置サービス（Location Service；以下、“ＬＣＳ”と称する）を要請する（Ｓ１０１）。即ち、ＵＥ_Ａ１５５の位置情報を要請する。この際、クライアント２４０は、位置を知りたいＵＥの識別情報をＧＭＬＣ２４１に伝送する。一方、ＧＭＬＣ２４１はＵＥ_Ａ１５５の位置を要請するＧＭＬＣ２４１であるので、図４には“Requesting GMLC”と表記した。
【００３５】
そうすれば、要請（requesting）ＧＭＬＣ２４１は、伝送されたＵＥの識別情報（例えば、ＩＭＳＩやＩＰ住所等）を利用してＨＬＲ／ＨＳＳ（Home Location Register／Home Subscriber Server）２３３にＵＥ_Ａ１５５のホームＰＬＭＮ情報（例えば、ホームＧＭＬＣ２３１に対するルーティング情報）を要請し（Ｓ１０３）、ＨＬＲ／ＨＳＳ２３３からホームＰＬＭＮ情報を受信する（Ｓ１０５）。この際、ＨＬＲ／ＨＳＳ２３３は、ＵＥの登録者情報及びローミング（roaming）情報を格納するサーバーとして前記格納されたＵＥの登録者情報を利用して要請（requesting）ＧＭＬＣ２４１に応答する。即ち、ＵＥ_Ａ１５５のホームＧＭＬＣ２３１のルーティング情報を要請ＧＭＬＣ２４１に伝達する。
【００３６】
前記ステップ（Ｓ１０５）において、ＵＥ_Ａ１５５のホームＧＭＬＣ２３１のルーティング情報を受信した要請ＧＭＬＣ２４１は、そのルーティング情報を利用してＵＥ_Ａ１５５のホームＧＭＬＣ２３１にＵＥ_Ａ１５５の位置情報を要請する（Ｓ１０７）。そうすれば、ホーム（home）ＧＭＬＣ２３１は、私生活保護認証ステップ（Ｓ１０９）を遂行した後、ＨＬＲ／ＨＳＳ２３３からＵＥ_Ａ１５５の訪問ＰＬＭＮ情報を伝達受ける手順を遂行する（Ｓ１１１、Ｓ１１３）。
【００３７】
他の実施形態として、前記ホームＧＭＬＣ２３１のルーティング情報を獲得するステップ（Ｓ１０３、Ｓ１０５）と前記ローミング地域内に存在するＵＥ_Ａ１５５に対するルーティング情報を獲得するステップ（Ｓ１１１、Ｓ１１３）は、２段階、即ちホームＧＭＬＣ２３１のルーティング情報とローミング地域内に存在するＵＥ_Ａ１５５のルーティング情報を共に要請する段階と、前記ホームＧＭＬＣ２３１のルーティング情報とローミング地域内に存在するＵＥ_Ａ１５５のルーティング情報を共に応答受ける段階からなることができる。即ち、要請ＧＭＬＣ２４１で対象ＵＥ_Ａ１５５のホームＧＭＬＣ２３１情報と要請時点でのＵＥ_Ａ１５５が位置している訪問ＰＬＭＮへのルーティング情報（例えば、訪問ＧＧＮＳ ＩＰ住所）を共に要請する方法である。
【００３８】
前記ルーティング情報獲得手続きを経た後、ホームＧＭＬＣ２３１では、前記訪問ＰＬＭＮ情報を利用して訪問ＰＬＭＮが遠隔領域であるかどうかを確認する（Ｓ１１５）。即ち、訪問ＰＬＭＮがＡ−ＧＰＳ機能を支援しない領域であるかどうかを確認する。もし、訪問ＰＬＭＮがＡ−ＧＰＳ機能を支援しない領域である場合、ホームＧＭＬＣ２３１は訪問ＰＬＭＮに位置したＵＥ_Ａ１５５に該当する測位補助情報を算出した後（Ｓ１１７）、その測位補助情報と共にＵＥ_Ａ１５５の位置情報要請メッセージを訪問ＰＬＭＮのＧＧＳＮ（訪問ＧＧＳＮ）２２４に伝送する（Ｓ１１９）。
【００３９】
この際、前記ステップＳ１１７において、ホームＧＭＬＣ２３１は、ＵＥ_Ａ１５５の訪問ＰＬＭＮから伝えられた無線局（cell）識別子に基づいて該当ＵＥが存在するセルの地理的情報とＧＰＳ衛星軌道を計算した後、このような計算結果を利用して該当ＵＥが效果的にＧＰＳ信号を獲得し（UE assisted LCS）、獲得されたＧＰＳロー（raw）データから向上した位置計算が可能であるようにする（UE based LCS）有効な測位補助情報（例えば、ＧＰＳ航法パラメータ（parameter））を算出する。
【００４０】
または、前記ステップ（Ｓ１１７）を遂行するために、ホームＧＭＬＣ２３１がＰＬＭＮの無線局識別子によりＰＬＭＮの各々の地理的情報が分かるデータベース（ＤＢ：database）を内蔵し、ＨＬＲ２３３で管理する訪問ＰＬＭＮの概略的な位置情報（例えば、水原（ＳＵＷＯＮ）、大邱（ｄａｅｇｕ）などの地理情報）を利用してホームＰＬＭＮ２３１が前記データベース（ＤＢ）から訪問ＰＬＭＮの地理的情報（例えば、緯度、経度等）を検出した後、その地理的情報を利用して訪問ＰＬＭＮの測位補助情報を算出することが好ましい。
【００４１】
前記ステップ（Ｓ１１７）で算出した測位補助情報の例は、衛星数と衛星識別子、ＧＰＳ衛星基準時間、電離層遅延補正情報、天文暦（ephemeris）とクロック（clock）の補正情報、ＵＴＣ（Universal Time Coordinated、国際協定時）オフセット、衛星暦法（almanac）、使用不可能衛星リスト情報、ドップラーモデル係数とドップラー探索ウィンドウサイズ、該当セルの概略的地理情報、コード位相（code phase）関連情報などがある。このような情報はＩＰ住所とカプセル化されたパケットで訪問ＧＧＳＮ２２４に伝えられる。この際、ＧＧＳＮ２２４は、ＵＥ_Ａ１５５が訪問中のＰＬＭＮのＧＧＳＮであるので、“訪問（visited）ＧＧＳＮ”と称する。
【００４２】
前記ステップ（Ｓ１１９）において、ＧＭＬＣ２３１からＧＧＳＮ２２４に伝送されるメッセージ５１０構造の例が図６ａに例示されている。図６ａを参照すれば、前記メッセージ５１０は、ＬＣＳセッション要請フラグ５１１、出発地ＩＰ住所５１２、目的地ＩＰ住所５１３、クライアントＩＤ５１４、位置計算タイプ（type）５１５及び測位補助情報５１６を含む。
【００４３】
ＬＣＳセッション要請フラグフィールド５１１は、ＵＥ_Ａ１５５に該当メッセージ５１０が位置情報要請メッセージであることを知らせるためのフラグを格納する。出発地ＩＰ住所フィールド５１２にはＧＭＬＣ２３１のＩＰ住所が格納され、目的地ＩＰ住所フィールド５１３にはＵＥ_Ａ１５５のＩＰ住所が格納される。クライアントＩＤフィールド５１４にはＵＥ_Ａ１５５の位置を要請したクライアントの識別番号が格納されるが、これはＵＥ_Ａ１５５の位置情報要請に対する認証用に使われる。位置計算タイプフィールド５１５には位置計算の種類を格納する。即ち、位置計算タイプフィールド５１５には位置計算をＵＥ_Ａ１５５で遂行する“UE-based TYPE”であるか、または、ＵＥ_Ａ１５５でＧＰＳ疑似距離を測定すれば、その情報をもってＧＭＬＣ２３１でＵＥ_Ａ１５５の位置を計算する“UE-assisted TYPE”であるかを決定する情報を格納する。図４には“UE-assisted TYPE”の場合を例示しているので、ステップ（Ｓ１１９）から伝えられるメッセージ５１０の位置計算タイプフィールド５１５には位置計算種類が“UE-assisted TYPE”であることを知らせる情報が格納される。
【００４４】
測位補助情報フィールド５１６にはＧＭＬＣ２３１で測定されたＵＥ_Ａ１５５の測位補助情報が格納されるが、ＧＭＬＣ２３１でＵＥ_Ａ１５５の端末特性を予め把握して選別的な測位補助情報を格納することができる。前記ステップ（Ｓ１１９）において、ＧＭＬＣ２３１から図６ａに例示されたような構成を有するメッセージ５１０を受信したＧＧＳＮ２２４は、前記メッセージ５１０をＭＳＣ／ＳＧＳＮ２２３及び無線接続網（ＲＡＮ）２７０を経てＵＥ_Ａ１５５に伝達する（Ｓ１２１、Ｓ１２３及びＳ１２４）。この際、ホームＧＭＬＣ２３１は、使用可能なネットワーク資源またはトラフィック状況により、自身が格納している測位補助情報のうち、ＧＰＳ初期信号獲得のための測位補助情報のみをＵＥ_Ａ１５５に伝達することができる。そして、ホームＧＭＬＣ２３１は、ＵＥ_Ａ１５５から疑似距離測定値が受信された際、残りの利用可能測位補助情報を目標端末の位置計算に使用することができる。
【００４５】
一方、前記ホームＧＭＬＣ２３１からＲＡＮ２７０までのメッセージ伝達は、一般的なＧＰＲＳ支援通信網でのパケット伝達方式と一致する。即ち、メッセージ５１０はＰＤＰ ＰＤＵでパケットデータ化され、ＧＴＰ（GPRS Tunneling protocol）に相応する形式でカプセル化した後、ＲＡＮ２７０までトンネルリングされた伝送経路に沿ってＲＡＮ２７０に伝えられ、ＰＤＣＰ（Packet Data Convergence Protocol）を通じてＲＡＮ２７０からＵＥ_Ａ１５５の上位応用階層まで伝えられる。
【００４６】
そうすれば、ＵＥ_Ａ１５５は、前記メッセージ５１０に含まれた位置計算種類を確認して、それによる処理を遂行する。図４では、“UE-assisted TYPE”の場合を例示しているので、ＵＥ_Ａ１５５はメッセージ５１０に含まれた測位補助情報を利用してＵＥ_Ａ１５５のＧＰＳ疑似距離を測定する（Ｓ１２５）。そして、その計算結果をＲＡＮ２７０、ＭＳＣ／ＳＧＧＮ２２３及び訪問ＧＧＳＮ２２４を経てホームＧＭＬＣ２３１に伝達する（Ｓ１２６、Ｓ１２７、Ｓ１２９及びＳ１３１）。この際、ＧＰＳ疑似距離はホームＧＭＬＣのＩＰ住所と共にカプセル化された後、ルーティングされてホームＧＭＬＣに伝えられる。図６ｂは、ＵＥ_Ａ１５５の位置情報が伝えられるメッセージの形態を例示する。
【００４７】
図６ｂを参照すれば、ＵＥ_Ａ１５５からＧＭＬＣ２３１まで伝えられるメッセージ５２０は、ＬＣＳ応答フラグ５２１、出発地ＩＰ（即ち、ＵＥ_Ａ１５５のＩＰ住所）５２２、目的地ＩＰ（即ち、ホームＧＭＬＣ２３１のＩＰ住所）５２３、クライアントＩＤ５２４、位置計算タイプ５２５及びＵＥ_ＡのＧＰＳ疑似距離５２６を含む。各フィールドに格納されるデータは、図６ａを参照した説明で言及したことと類似しているので、具体的な説明は省略する。
【００４８】
前記ＵＥ_Ａ１５５のＧＰＳ疑似距離を受信したホームＧＭＬＣ２３１は、前記ＧＰＳ疑似距離を利用してＵＥ_Ａ１５５の位置を計算し（Ｓ１３３）、その結果を要請ＧＭＬＣ２４１を経てクライアント２４０に伝達する（Ｓ１３５、Ｓ１３７）。
【００４９】
図５は、本発明の第１実施形態に係る移動端末機の位置決定方法に対する処理手順図である。特に、図５は、外部ＬＣＳクライアント（以下、“クライアント”と称する）２４０がＵＥ_Ａ１５５の位置を要請した場合、UE_based方式でＵＥ_Ａ１５５位置を計算する方法に対する例を表している。
【００５０】
図５の各ステップ（Ｓ２０１乃至Ｓ２２４）は、図４のステップ（Ｓ１０１乃至Ｓ１２４）と類似している。したがって、前記ステップ（Ｓ２０１乃至Ｓ２２４）に対する具体的な説明は省略する。但し、図５は、UE-based TYPEの場合を例示するので、ステップ（Ｓ２１９乃至Ｓ２２４）において、ＧＭＬＣ２３１からＵＥ_Ａ１５５まで伝えられるメッセージ５１０の内容が一部変わる。即ち、メッセージ５１０の位置計算タイプフィールド５１５に位置計算種類が“UE-based TYPE”であることを知らせる情報が格納される。この際、前記ステップ（Ｓ２１９乃至Ｓ２２４）において、ホームＧＭＬＣ２３１からＲＡＮ２７０までのメッセージ伝達方式は、図４の説明で言及したことと類似しているので、伝達方式に対する具体的な説明は省略する。
【００５１】
そうすれば、ＵＥ_Ａ１５５は、前記メッセージ５１０に含まれた位置計算種類を確認して、それに従う処理を遂行する。図５では“UE-based TYPE”の場合を例示しているので、ＵＥ_Ａ１５５はメッセージ５１０に含まれた測位補助情報を利用してＵＥ_Ａ１５５のＧＰＳ疑似距離を測定した後、そのＧＰＳ疑似距離を利用してＵＥ_ Ａの位置を計算する（Ｓ２２５）。そして、その計算結果をＲＡＮ２７０、ＭＳＣ／ＳＧＧＮ２２３、訪問ＧＧＳＮ２２４、ホームＧＭＬＣ２３１及び要請ＧＭＬＣ２４１を経てクライアント２４０に伝達する（Ｓ２２６、Ｓ２２７、Ｓ２２９、Ｓ２３１、Ｓ２３５及びＳ２３７）。この際、ＵＥ_Ａ１５５の位置情報はホームＧＭＬＣのＩＰ住所と共にカプセル化された後、ルーティングされてホームＧＭＬＣに伝えられる。図６ｃは、ＵＥ_Ａ１５５の位置情報が伝えられるメッセージの形態を例示する。
【００５２】
図６ｃを参照すれば、ＵＥ_Ａ１５５からＧＭＬＣ２３１まで伝えられるメッセージ５３０は、ＬＣＳ応答フラグ５３１、出発地ＩＰ（即ち、ＵＥ_Ａ１５５のＩＰ住所）５３２、目的地ＩＰ（即ち、ホームＧＭＬＣ２３１のＩＰ住所）５３３、クライアントＩＤ５３４、位置計算タイプ５３５及びＵＥ_Ａの位置情報５３６を含む。各フィールドに格納されるデータは、図６ａを参照した説明で言及したことと類似しているので、具体的な説明は省略する。図７は、本発明の第２実施形態に係る移動端末機の位置決定方法に対する処理手順図である。特に、ＵＥ_Ａ１５５がＡ−ＧＰＳ機能を支援しない領域（一名、遠隔領域と称する）で自身の位置を要請した場合、“UE-assisted”方式でＵＥ_Ａ１５５の位置を計算する方法に対する例を表している。ＵＥ_Ａ１５５が位置決定対象、即ち目標ＵＥとなる場合である。このように、ＵＥ_Ａ１５５が遠隔領域で自身の位置を要請することが必要な場合は、ＵＥ_Ａ１５５がＡ−ＧＰＳ機能を支援しない領域で独立的にＰＬＭＮから提供するＬＣＳサービスを利用して旅行情報や地理情報を活用したり自身の端末機に格納されたＬＣＳサービスデータベースを利用するために自身の位置情報を知りたい時である。
【００５３】
図７を参照すれば、ＵＥ_Ａ１５５は、自身の位置を要請するために、まずネットワークに連結する手順を遂行しなければならない。即ち、ＵＥ_Ａ１５５は無線接続網（ＲＡＮ）２７０を経てＭＳＣ／ＳＧＳＮ２２３にネットワーク連結を要請し（Ｓ３０１、Ｓ３０３）、ＭＳＣ／ＳＧＳＮ２２３からそれに対する応答で連結承認を受けた後（Ｓ３０５）、ＭＳＣ／ＳＧＳＮ２２３との認証ステップ（Ｓ３０７）を通じてネットワークを連結する。もし、ＵＥ_Ａ１５５が既にネットワークに連結されていたとすれば、前記ステップ（Ｓ３０１乃至Ｓ３０７）は省略可能である。
【００５４】
このように、ネットワークに連結されたＵＥ_Ａ１５５は無線接続網２７０を経てＭＳＣ／ＳＧＳＮ２２３にＵＥ_Ａ１５５の位置情報を要請する（Ｓ３０９）。そうすれば、ＳＧＳＮ２２３は、該当ＰＬＭＮが自ら測位情報が提供できないこと（例えば、AＧＰＳ機能が支援できないこと）を判断して、ＶＬＲ（Visitor Location Register）２２５からＵＥ_Ａ１５５のホームＰＬＭＮに対するルーティング情報（例えば、ホームＧＭＬＣ２３１のＩＰ住所）を伝達受けた後（Ｓ３１１、Ｓ３１３）、該当ＰＬＭＮのＧＧＳＮ２２４にＵＥ_Ａ１５５の位置情報要請メッセージを伝達する（Ｓ３１５）。この際、ＳＧＳＮ２２３はホームＧＭＬＣ２３１のＩＰ住所を前記位置情報要請メッセージと共にＧＧＳＮ２２４に伝達する。
【００５５】
この際、ＧＧＳＮ２２４に伝えられる位置情報要請メッセージの形式は、図９ａに例示された通りである。図９ａを参照すれば、ＧＧＳＮ２２４に伝えられる位置情報要請メッセージ６１０は、ＬＣＳセッション要請フラグ６１１、ＵＥ_ＡのＩＤ６１２（例えば、ＩＭＳＩ、ＩＰ住所等）、セルＩＤ６１３、位置計算タイプ（TYPE）６１４を含み、サービス品質を保障するために付加的に測位ＱｏＳ６１５及び該当要請情報の満了時間情報６１６を更に含むことができる。
【００５６】
前記ステップ（Ｓ３１５）において、ＳＧＳＮ２２３から図９ａに例示されたようなＵＥ_Ａ１５５位置情報要請メッセージ６１０とホームＧＭＬＣのＩＰ住所を受信した訪問ＧＧＳＮ２２４は、そのＩＰ住所を利用してホームＧＭＬＣ２３１にＵＥ_Ａ１５５の位置を要請する（Ｓ３１７）。即ち、前記位置情報要請メッセージ６１０を伝達する。この際、前記位置情報要請メッセージ６１０には、図９ａに例示されたように、遠隔Ａ−ＧＰＳ機能を支援するための必須情報であるＵＥ_Ａ１５５の訪問セルに対するセル情報（例えば、セルＩＤ）を含む。
【００５７】
そうすれば、ホームＧＭＬＣ２３１は、ＨＬＲ／ＨＳＳ２３３に該当サービスに対する認証を要請し（Ｓ３１９）、ＨＬＲ／ＨＳＳ２３３は、その要請に応答して該当サービスに対する認証と私生活保護手順を遂行した後（Ｓ３２１）、承認の可否をホームＧＭＬＣ２３１に伝達する（Ｓ３２３）。
【００５８】
前記ステップ（Ｓ３１９乃至Ｓ３２３）を経て該当サービスに対する承認を受けたホームＧＭＬＣ２３１は、ＵＥ_Ａ１１５測位補助情報を算出した後（Ｓ３２５）、その測位補助情報を訪問ＰＬＭＮのＧＧＳＮ（訪問ＧＧＳＮ）２２４に伝送する（Ｓ３２７）。
【００５９】
この際、前記ステップ（Ｓ３２５）において、ホームＧＭＬＣ２３１は、ＵＥ_Ａ１５５の訪問ＰＬＭＮ内の無線局（cell）識別子に基づいて該当ＵＥが存在するセルの地理的情報とＧＰＳ衛星軌道を計算した後、このような計算結果を利用して該当ＵＥが效果的にＧＰＳ信号を獲得し（UE assisted LCS）、獲得したＧＰＳロー（raw）データから向上した位置計算が可能であるようにする（UE based LCS）有効な測位補助情報（例えば、ＧＰＳ航法パラメータ（parameter））を算出する。
【００６０】
または、前記ステップ（Ｓ３２５）を遂行するために、ホームＧＭＬＣ２３１がＰＬＭＮの無線局識別子によりＰＬＭＮの各々の地理的情報が分かるデータベース（ＤＢ：database）を内蔵し、ホームＰＬＭＮ２３１が前記訪問ＰＬＭＮの無線局識別子を利用して前記データベース（ＤＢ）から訪問ＰＬＭＮの地理的情報を検出した後、その地理的情報を利用して訪問ＰＬＭＮに位置したＵＥ_Ａ１１５に該当する測位補助情報を算出することが好ましい。
【００６１】
前記ステップ（Ｓ３２５）で算出された測位補助情報の例は、衛星数と衛星識別子、ＧＰＳ衛星基準時間、電離層遅延補正情報、天文暦（ephemeris）とクロック（clock）の補正情報、ＵＴＣＵ（Universal Time Coordinated、国際協定時）オフセット、衛星暦法（almanac）、使用不可能衛星リスト情報、ドップラーモデル係数計数とドップラー探索ウィンドウサイズ、該当セルの概略的地理情報、コード位相（code phase）関連情報などがある。前記ステップ（Ｓ３２７）において、測位補助情報を受信したＧＧＳＮ２２４は、その測位補助情報をＭＳＣ／ＳＧＳＮ２２３及びＲＡＮ２７０を経てＵＥ_Ａ１５５に伝達する（Ｓ３２９、Ｓ３３１及びＳ３３３）。この際、伝えられた測位補助情報は、ＧＰＳ初期信号獲得のための補助情報のみ伝えられ、残りの利用可能情報はＵＥ_Ａ１５５から疑似距離測定値が到達した時、位置計算のために使われることができる。この際、前記ホームＧＭＬＣ２３１からＵＥ_Ａ１５５に伝えられる測位補助情報は、図９ｂに例示されたようなメッセージ形態を有する。図９ｂを参照すれば、測位補助情報伝達メッセージ６２０は、出発地（ホームＧＭＬＣ）ＩＰ住所６２１、目的（ＵＥ_Ａ）ＩＰ住所６２２、位置計算タイプ６２３及び測位補助情報６２４を含む。図７は、“UE-assisted”の位置計算方法を例示するので、位置計算タイプフィールド６２３には位置計算タイプが“UE-assisted”であることを表す情報を格納する。
【００６２】
前記ステップ（Ｓ３３３）において、測位補助情報を受信したＵＥ_Ａ１５５は、前記測位補助情報を利用してＵＥ_Ａ１５５のＧＰＳ疑似距離を測定する（Ｓ３３５）。そして、そのＧＰＳ疑似距離をＲＡＮ２７０、ＭＳＣ／ＳＧＧＮ２２３、訪問ＧＧＳＮ２２４を経てホームＧＭＬＣ２３１に伝達する（Ｓ３３７、Ｓ３３９、Ｓ３４１及びＳ３４３）。この際、ＧＰＳ疑似距離は、ホームＧＭＬＣ２３１のＩＰ住所と共にカプセル化された後、ルーティングされてホームＧＭＬＣ２３１に伝えられる。
【００６３】
この際、ＵＥ_Ａ１５５からホームＧＭＬＣ２３１にＧＰＳ疑似距離を伝達するためのメッセージ形態の例が図９ｃに例示されている。図９ｃを参照すれば、ＧＰＳ疑似距離情報を伝達するためのメッセージ６３０は、出発地（ＵＥ_Ａ）ＩＰ住所６３１、目的地（ホームＧＭＬＣ）ＩＰ住所６３２、位置計算タイプ６３３及びＵＥ_ＡのＧＰＳ疑似距離６３４を含む。
【００６４】
一方、前記ステップ（Ｓ３３７乃至Ｓ３４３）でのメッセージ伝達方式は、図４の前記ホームＧＭＬＣ２３１からＲＡＮ２７０までのメッセージ伝達方式のように、ＧＴＰプロトコルを利用したパケットデータトンネルリング方式を使用することが好ましい。前記ステップ（Ｓ３３７乃至Ｓ３４３）を通じて前記ＵＥ_Ａ１５５のＧＰＳ疑似距離を受信したホームＧＭＬＣ２３１は、前記ＧＰＳ疑似距離を利用してＵＥ_Ａ１５５の位置を計算して（Ｓ３４５）、その結果を訪問ＧＧＳＮ２２４及びＭＳＣ／ＳＧＳＮ２２３を経てＵＥ_Ａ１５５に伝達する（Ｓ３４７、Ｓ３４９及びＳ３５１）。また、ホームＧＭＬＣ２３１は、前記計算結果（例えば、ＵＥ_Ａ位置情報）をクライアント２４０に伝達することができる（Ｓ３５３）。
【００６５】
この際、ＵＥ_Ａ１５５の位置情報を伝達するためのメッセージ形態の例が図９ｄに例示されている。図９ｄを参照すれば、ＵＥ_Ａの位置情報を伝達するためのメッセージ６４０は、出発地（ホームＧＭＬＣ）ＩＰ住所６４１、目的地（ＵＥ_Ａ）ＩＰ住所６４２、位置計算タイプ６４３及びＵＥ_Ａの位置情報６４４を含む。
【００６６】
図８は、本発明の第２実施形態に係る移動端末機の位置決定方法に対する処理手順図であって、特に、ＵＥ_Ａ１５５がＡ−ＧＰＳ機能を支援しない領域（一名、遠隔領域という）で自身の位置を要請した場合、“UE-based”方式によりＵＥ_Ａ１５５の位置を計算する方法に対する例を表している。このように、ＵＥ_Ａ１５５が遠隔領域で自身の位置を要請することが必要な場合は、図７の説明の初頭で言及した通りである。
【００６７】
図８の各ステップ（Ｓ４０１乃至Ｓ４３３）は、図７のステップ（Ｓ３０１乃至Ｓ３３３）と類似している。したがって、前記ステップ（Ｓ４０１乃至Ｓ４３３）に対する具体的な説明は省略する。但し、図８は、UE-based TYPEの場合を例示するので、ステップ（Ｓ４０９、Ｓ４１５、Ｓ４１７）から伝えられるメッセージ６１０の内容が一部変わる。即ち、メッセージ６１０の位置計算タイプフィールド６２３に位置計算種類が“UE-based TYPE”であることを知らせる情報が格納される。この際、前記メッセージ６１０の伝達方式は、図７の説明で言及したことと類似しているので、伝達方式に対する具体的な説明は省略する。
【００６８】
前記ステップ（Ｓ４３３）において、測位補助情報を受信したＵＥ_Ａ１５５は、前記測位補助情報を利用してＵＥ_Ａ１５５のＧＰＳ疑似距離を測定した後、そのＧＰＳ疑似距離を利用してＵＥ_Ａ１５５の位置を計算する（Ｓ４３５）。そして、その計算結果をＲＡＮ２７０、ＭＳＣ／ＳＧＧＮ２２３、訪問ＧＧＳＮ２２４及びホームＧＭＬＣ２３１を経てクライアント２４０に伝達する（Ｓ４３７、Ｓ４３９、Ｓ４４１、Ｓ４４３及びＳ４４５）。この際、ＵＥ_Ａ１５５の位置情報は、ホームＧＭＬＣのＩＰ住所と共にカプセル化された後、ルーティングされてホームＧＭＬＣに伝えられる。図９ｅはＵＥ_Ａ１５５の位置情報が伝えられるメッセージの形態を例示する。図９ｅを参照すれば、ＵＥ_Ａ１５５がＵＥ_Ａ１５５の位置情報を伝達するためのメッセージ６５０は、出発地（ＵＥ_Ａ）ＩＰ住所６５１、目的地（ホームＧＭＬＣ）ＩＰ住所６５２、位置計算タイプ６５３及びＵＥ_Ａの位置情報６５４を含む。
【００６９】
前記本発明の第１及び第２実施形態において、ＵＥ_Ａ１５５は、ＩＰ支援端末でなければならない。即ち、ＵＥ_Ａ１５５は、カプセル化／デカプセル化（encapsulation／decapsulation）が全て可能でなければならない。
【００７０】
前述した本発明の説明では、具体的な実施形態に関して説明したが、本発明の範囲から外れない限度内で種々変形が可能であることは勿論である。したがって、本発明の範囲は説明された実施形態に限るのではなく、特許請求範囲だけでなく、特許請求範囲と均等なものにより定められるはずである。
【図面の簡単な説明】
【００７１】
【図１】移動通信システムの構造を概略的に示す図である。
【図２】従来の実施形態に係る移動端末機の位置決定方法に対する処理手順図である。
【図３】本発明の実施形態によって移動端末機の位置を決定するためのネットワーク構造を示す図である。
【図４】本発明の第１実施形態に係る移動端末機の位置決定方法に対する処理手順図である。
【図５】本発明の第１実施形態に係る移動端末機の位置決定方法に対する処理手順図である。
【図６ａ】本発明の第１実施形態に係る移動端末機の位置決定時に伝送されるデータフォーマットの例示図である。
【図６ｂ】本発明の第１実施形態に係る移動端末機の位置決定時に伝送されるデータフォーマットの例示図である。
【図６ｃ】本発明の第１実施形態に係る移動端末機の位置決定時に伝送されるデータフォーマットの例示図である。
【図７】本発明の第２実施形態に係る移動端末機の位置決定方法に対する処理手順図である。
【図８】本発明の第２実施形態に係る移動端末機の位置決定方法に対する処理手順図である。
【図９ａ】本発明の第２実施形態に係る移動端末機の位置決定時に伝送されるデータフォーマットの例示図である。
【図９ｂ】本発明の第２実施形態に係る移動端末機の位置決定時に伝送されるデータフォーマットの例示図である。
【図９ｃ】本発明の第２実施形態に係る移動端末機の位置決定時に伝送されるデータフォーマットの例示図である。
【図９ｄ】本発明の第２実施形態に係る移動端末機の位置決定時に伝送されるデータフォーマットの例示図である。
【図９ｅ】本発明の第２実施形態に係る移動端末機の位置決定時に伝送されるデータフォーマットの例示図である。
【符号の説明】
【００７２】
１５５  ＵＥ＿Ａ
２２３  ＭＳＣ／ＳＧＳＮ
２２４  ＧＧＳＮ
２３１  ホームＧＭＬＣ
２３３  ＨＬＲ／ＨＳＳ
２４０  ＣＬＩＥＮＴ
２４１  要請ＧＭＬＣ
２７０  ＲＡＮ
【図１】
2007520151.tif 000003
【図２】
2007520151.tif 000004
【図３】
2007520151.tif 000005
【図４】
2007520151.tif 000006
【図５】
2007520151.tif 000007
【図６Ａ】
2007520151.tif 000008
【図６Ｂ】
2007520151.tif 000009
【図６Ｃ】
2007520151.tif 000010
【図７】
2007520151.tif 000011
【図８】
2007520151.tif 000012
【図９Ａ】
2007520151.tif 000013
【図９Ｂ】
2007520151.tif 000014
【図９Ｃ】
2007520151.tif 000015
【図９Ｄ】
2007520151.tif 000016
【図９Ｅ】
2007520151.tif 000017
【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
クライアントの位置サービス要請に応答して目標端末のホーム公衆移動通信網（ＰＬＭＮ）情報を確認する第１ステップと、
前記ホーム公衆移動通信網（ＰＬＭＮ）情報に基づいて前記目標端末の訪問公衆移動通信網（ＰＬＭＮ）情報を確認する第２ステップと、
前記訪問公衆移動通信網（ＰＬＭＮ）の所定の位置情報を利用して前記ホーム公衆移動通信網で前記訪問公衆移動通信網（ＰＬＭＮ）の測位補助情報を算出する第３ステップと、
前記目標端末に前記測位補助情報を伝達する第４ステップと、
を含むことを特徴とする移動端末機の位置決定方法。
【請求項２】
前記目標端末の訪問公衆移動通信網情報を確認するステップは、前記訪問公衆移動通信網の測位補助情報の提供可能の可否を判断するステップを更に含むことを特徴とする請求項１記載の移動端末機の位置決定方法。
【請求項３】
前記所定の位置情報は、前記目標端末が位置した訪問公衆移動通信網の無線局識別子を含むことを特徴とする請求項１記載の移動端末機の位置決定方法。
【請求項４】
前記目標端末がその測位補助情報を利用して目標端末のＧＰＳ疑似距離を測定した後、その結果を前記ホーム公衆移動通信網（ＰＬＭＮ）に伝達する第５ステップと、
前記目標端末のＧＰＳ疑似距離を利用して前記ホーム公衆移動通信網（ＰＬＭＮ）で前記目標端末の位置を計算する第６ステップと、
を更に含むことを特徴とする請求項１記載の移動端末機の位置決定方法。
【請求項５】
前記目標端末がその測位補助情報を利用して目標端末のＧＰＳ疑似距離を測定した後、そのＧＰＳ疑似距離を利用して目標端末の位置を計算する第７ステップと、
を更に含むことを特徴とする請求項１記載の移動端末機の位置決定方法。
【請求項６】
前記第２ステップは、移動端末機の登録者情報及びローミング情報を格納するサーバーから前記目標端末の訪問公衆移動通信網（ＰＬＭＮ）のゲートウェイパケット無線サービス支援ノード（ＧＧＳＮ）に対するＩＰ住所を確認することを特徴とする請求項１記載の移動端末機の位置決定方法。
【請求項７】
前記第２ステップは、移動端末機の登録者情報及びローミング情報を格納するサーバーから前記目標端末の訪問公衆移動通信網（ＰＬＭＮ）のゲートウェイパケット無線サービス支援ノード（ＧＧＳＮ）に対するＩＰ住所を確認することを特徴とする請求項２記載の移動端末機の位置決定方法。
【請求項８】
前記第２ステップは、移動端末機の登録者情報及びローミング情報を格納するサーバーから前記目標端末の訪問公衆移動通信網（ＰＬＭＮ）のゲートウェイパケット無線サービス支援ノード（ＧＧＳＮ）に対するＩＰ住所を確認することを特徴とする請求項３記載の移動端末機の位置決定方法。
【請求項９】
前記第２ステップは、移動端末機の登録者情報及びローミング情報を格納するサーバーから前記目標端末の訪問公衆移動通信網（ＰＬＭＮ）のゲートウェイパケット無線サービス支援ノード（ＧＧＳＮ）に対するＩＰ住所を確認することを特徴とする請求項４記載の移動端末機の位置決定方法。
【請求項１０】
前記第２ステップは、移動端末機の登録者情報及びローミング情報を格納するサーバーから前記目標端末の訪問公衆移動通信網（ＰＬＭＮ）のゲートウェイパケット無線サービス支援ノード（ＧＧＳＮ）に対するＩＰ住所を確認することを特徴とする請求項５記載の移動端末機の位置決定方法。
【請求項１１】
前記第３ステップは、前記目標端末が位置する訪問公衆移動通信網の地理的情報とＧＰＳ衛星軌道を計算した後、その計算結果を利用して有効な測位補助情報を算出することを特徴とする請求項１記載の移動端末機の位置決定方法。
【請求項１２】
前記第３ステップは、前記目標端末が位置する訪問公衆移動通信網の地理的情報とＧＰＳ衛星軌道を計算した後、その計算結果を利用して有効な測位補助情報を算出することを特徴とする請求項２記載の移動端末機の位置決定方法。
【請求項１３】
前記第３ステップは、前記目標端末が位置する訪問公衆移動通信網の地理的情報とＧＰＳ衛星軌道を計算した後、その計算結果を利用して有効な測位補助情報を算出することを特徴とする請求項３記載の移動端末機の位置決定方法。
【請求項１４】
前記第３ステップは、前記目標端末が位置する訪問公衆移動通信網の地理的情報とＧＰＳ衛星軌道を計算した後、その計算結果を利用して有効な測位補助情報を算出することを特徴とする請求項４記載の移動端末機の位置決定方法。
【請求項１５】
前記第３ステップは、前記目標端末が位置する訪問公衆移動通信網の地理的情報とＧＰＳ衛星軌道を計算した後、その計算結果を利用して有効な測位補助情報を算出することを特徴とする請求項５記載の移動端末機の位置決定方法。
【請求項１６】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項１記載の移動端末機の位置決定方法。
【請求項１７】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項２記載の移動端末機の位置決定方法。
【請求項１８】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項３記載の移動端末機の位置決定方法。
【請求項１９】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項４記載の移動端末機の位置決定方法。
【請求項２０】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項５記載の移動端末機の位置決定方法。
【請求項２１】
前記第４ステップは、ネットワークの利用可能資源とトラフィック状況によりＧＰＳ初期信号獲得のための測位補助情報のみを伝達することを特徴とする請求項１記載の移動端末機の位置決定方法。
【請求項２２】
前記第４ステップは、ネットワークの利用可能資源とトラフィック状況によりＧＰＳ初期信号獲得のための測位補助情報のみを伝達することを特徴とする請求項２記載の移動端末機の位置決定方法。
【請求項２３】
前記第４ステップは、ネットワークの利用可能資源とトラフィック状況によりＧＰＳ初期信号獲得のための測位補助情報のみを伝達することを特徴とする請求項３記載の移動端末機の位置決定方法。
【請求項２４】
前記第４ステップは、ネットワークの利用可能資源とトラフィック状況によりＧＰＳ初期信号獲得のための測位補助情報のみを伝達することを特徴とする請求項４記載の移動端末機の位置決定方法。
【請求項２５】
前記第４ステップは、ネットワークの利用可能資源とトラフィック状況によりＧＰＳ初期信号獲得のための測位補助情報のみを伝達することを特徴とする請求項５記載の移動端末機の位置決定方法。
【請求項２６】
前記第４ステップは、前記測位補助情報、ホーム公衆移動通信網（ＰＬＭＮ）及び目標端末のＩＰ情報、そして位置情報要請命令をカプセル化して伝送することを特徴とする請求項１記載の移動端末機の位置決定方法。
【請求項２７】
前記第４ステップは、前記測位補助情報、ホーム公衆移動通信網（ＰＬＭＮ）及び目標端末のＩＰ情報、そして位置情報要請命令をカプセル化して伝送することを特徴とする請求項２記載の移動端末機の位置決定方法。
【請求項２８】
前記第４ステップは、前記測位補助情報、ホーム公衆移動通信網（ＰＬＭＮ）及び目標端末のＩＰ情報、そして位置情報要請命令をカプセル化して伝送することを特徴とする請求項３記載の移動端末機の位置決定方法。
【請求項２９】
前記第４ステップは、前記測位補助情報、ホーム公衆移動通信網（ＰＬＭＮ）及び目標端末のＩＰ情報、そして位置情報要請命令をカプセル化して伝送することを特徴とする請求項４記載の移動端末機の位置決定方法。
【請求項３０】
前記第４ステップは、前記測位補助情報、ホーム公衆移動通信網（ＰＬＭＮ）及び目標端末のＩＰ情報、そして位置情報要請命令をカプセル化して伝送することを特徴とする請求項５記載の移動端末機の位置決定方法。
【請求項３１】
目標端末の位置を決定するためのクライアント（Client）からの位置サービス要請に応答して、前記訪問公衆移動通信網（ＰＬＭＮ）が前記目標端末のホーム公衆移動通信網（ＰＬＭＮ）の情報を確認するステップと、
前記ホーム公衆移動通信網（ＰＬＭＮ）に前記目標端末の位置を計算するための測位補助情報を要請するステップと、
前記要請に応答してホーム公衆移動通信網（ＰＬＭＮ）で前記訪問公衆移動通信網（ＰＬＭＮ）の所定の位置補助情報を利用して前記訪問公衆移動通信網（ＰＬＭＮ）に位置した前記目標端末の測位補助情報を算出するステップと、
前記目標端末に前記測位補助情報を伝達するステップと、
を含むことを特徴とする移動端末機の位置決定方法。
【請求項３２】
前記訪問公衆移動通信網は、前記目標端末の位置サービス要請に応答して前記訪問公衆移動通信網で測位補助情報の提供可能の可否を判断するステップを更に含むことを特徴とする請求項３１記載の移動端末機の位置決定方法。
【請求項３３】
前記所定の位置補助情報は、前記目標端末が位置した訪問公衆移動通信網の無線局識別子を含むことを特徴とする請求項３１記載の移動端末機の位置決定方法。
【請求項３４】
前記目標端末がその測位補助情報を利用して前記目標端末のＧＰＳ疑似距離を測定した後、その結果を前記公衆移動通信網（ＰＬＭＮ）に伝達する第５ステップと、
前記目標端末のＧＰＳ疑似距離を利用して前記ホーム公衆移動通信網（ＰＬＭＮ）で前記目標端末の位置を計算する第６ステップと、
を更に含むことを特徴とする請求項３１記載の移動端末機の位置決定方法。
【請求項３５】
前記目標端末が前記測位補助情報を利用して前記目標端末のＧＰＳ疑似距離を測定した後、そのＧＰＳ疑似距離を利用して前記目標端末の位置を計算する第８ステップと、
を更に含むことを特徴とする請求項３１記載の移動端末機の位置決定方法。
【請求項３６】
前記第１ステップは、前記訪問公衆移動通信網（ＰＬＭＮ）のサービスパケット無線サービス支援ノード（ＳＧＳＮ）が前記訪問位置登録サーバー（ＶＬＲ）からホーム公衆移動通信網（ＰＬＭＮ）の位置サービスセンター（ＧＭＬＣ）に対するＩＰ住所を受信及び確認することを特徴とする請求項３１記載の移動端末機の位置決定方法。
【請求項３７】
前記第１ステップは、前記訪問公衆移動通信網（ＰＬＭＮ）のサービスパケット無線サービス支援ノード（ＳＧＳＮ）が前記訪問位置登録サーバー（ＶＬＲ）からホーム公衆移動通信網（ＰＬＭＮ）の位置サービスセンター（ＧＭＬＣ）に対するＩＰ住所を受信及び確認することを特徴とする請求項３２記載の移動端末機の位置決定方法。
【請求項３８】
前記第１ステップは、前記訪問公衆移動通信網（ＰＬＭＮ）のサービスパケット無線サービス支援ノード（ＳＧＳＮ）が前記訪問位置登録サーバー（ＶＬＲ）からホーム公衆移動通信網（ＰＬＭＮ）の位置サービスセンター（ＧＭＬＣ）に対するＩＰ住所を受信及び確認することを特徴とする請求項３３記載の移動端末機の位置決定方法。
【請求項３９】
前記第１ステップは、前記訪問公衆移動通信網（ＰＬＭＮ）のサービスパケット無線サービス支援ノード（ＳＧＳＮ）が前記訪問位置登録サーバー（ＶＬＲ）からホーム公衆移動通信網（ＰＬＭＮ）の位置サービスセンター（ＧＭＬＣ）に対するＩＰ住所を受信及び確認することを特徴とする請求項３４記載の移動端末機の位置決定方法。
【請求項４０】
前記第１ステップは、前記訪問公衆移動通信網（ＰＬＭＮ）のサービスパケット無線サービス支援ノード（ＳＧＳＮ）が前記訪問位置登録サーバー（ＶＬＲ）からホーム公衆移動通信網（ＰＬＭＮ）の位置サービスセンター（ＧＭＬＣ）に対するＩＰ住所を受信及び確認することを特徴とする請求項３５記載の移動端末機の位置決定方法。
【請求項４１】
前記第３ステップは、前記目標端末が位置する訪問公衆移動通信網の地理的情報とＧＰＳ衛星軌道を計算した後、その計算結果を利用して有効な測位補助情報を算出することを特徴とする請求項３１記載の移動端末機の位置決定方法。
【請求項４２】
前記第３ステップは、前記目標端末が位置する訪問公衆移動通信網の地理的情報とＧＰＳ衛星軌道を計算した後、その計算結果を利用して有効な測位補助情報を算出することを特徴とする請求項３２記載の移動端末機の位置決定方法。
【請求項４３】
前記第３ステップは、前記目標端末が位置する訪問公衆移動通信網の地理的情報とＧＰＳ衛星軌道を計算した後、その計算結果を利用して有効な測位補助情報を算出することを特徴とする請求項３３記載の移動端末機の位置決定方法。
【請求項４４】
前記第３ステップは、前記目標端末が位置する訪問公衆移動通信網の地理的情報とＧＰＳ衛星軌道を計算した後、その計算結果を利用して有効な測位補助情報を算出することを特徴とする請求項３４記載の移動端末機の位置決定方法。
【請求項４５】
前記第３ステップは、前記目標端末が位置する訪問公衆移動通信網の地理的情報とＧＰＳ衛星軌道を計算した後、その計算結果を利用して有効な測位補助情報を算出することを特徴とする請求項３５記載の移動端末機の位置決定方法。
【請求項４６】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項３１記載の移動端末機の位置決定方法。
【請求項４７】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項３２記載の移動端末機の位置決定方法。
【請求項４８】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項３３記載の移動端末機の位置決定方法。
【請求項４９】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項３４記載の移動端末機の位置決定方法。
【請求項５０】
前記第３ステップは、公衆移動通信網（ＰＬＭＮ）の無線局識別子により公衆移動通信網（ＰＬＭＮ）の各々の地理的情報が分かるデータベースを内蔵したホーム公衆移動通信網（ＰＬＭＮ）が前記訪問公衆移動通信網（ＰＬＭＮ）の所定の位置情報を利用して前記データベースから訪問公衆移動通信網（ＰＬＭＮ）の地理的情報を検出して、その地理的情報を利用して訪問公衆移動通信網（ＰＬＭＮ）の測位補助情報を算出することを特徴とする請求項３５記載の移動端末機の位置決定方法。
【請求項５１】
前記第４ステップは、ネットワークの利用可能資源とトラフィック状況によりＧＰＳ初期信号獲得のための測位補助情報を前記無線接続網に伝達することを特徴とする請求項３１記載の移動端末機の位置決定方法。
【請求項５２】
前記第４ステップは、ネットワークの利用可能資源とトラフィック状況によりＧＰＳ初期信号獲得のための測位補助情報を前記無線接続網に伝達することを特徴とする請求項３２記載の移動端末機の位置決定方法。
【請求項５３】
前記第４ステップは、ネットワークの利用可能資源とトラフィック状況によりＧＰＳ初期信号獲得のための測位補助情報を前記無線接続網に伝達することを特徴とする請求項３３記載の移動端末機の位置決定方法。
【請求項５４】
前記第４ステップは、ネットワークの利用可能資源とトラフィック状況によりＧＰＳ初期信号獲得のための測位補助情報を前記無線接続網に伝達することを特徴とする請求項３４記載の移動端末機の位置決定方法。
【請求項５５】
前記第４ステップは、ネットワークの利用可能資源とトラフィック状況によりＧＰＳ初期信号獲得のための測位補助情報のみを前記無線接続網に伝達することを特徴とする請求項３５記載の移動端末機の位置決定方法。
【請求項５６】
前記第４ステップは、前記測位補助情報、ホーム公衆移動通信網（ＰＬＭＮ）及び目標端末のＩＰ情報、そして位置情報要請命令をカプセル化して伝送することを特徴とする請求項３１記載の移動端末機の位置決定方法。
【請求項５７】
前記第４ステップは、前記測位補助情報、ホーム公衆移動通信網（ＰＬＭＮ）及び目標端末のＩＰ情報、そして位置情報要請命令をカプセル化して伝送することを特徴とする請求項３２記載の移動端末機の位置決定方法。
【請求項５８】
前記第４ステップは、前記測位補助情報、ホーム公衆移動通信網（ＰＬＭＮ）及び目標端末のＩＰ情報、そして位置情報要請命令をカプセル化して伝送することを特徴とする請求項３３記載の移動端末機の位置決定方法。
【請求項５９】
前記第４ステップは、前記測位補助情報、ホーム公衆移動通信網（ＰＬＭＮ）及び目標端末のＩＰ情報、そして位置情報要請命令をカプセル化して伝送することを特徴とする請求項３４記載の移動端末機の位置決定方法。
【請求項６０】
前記第４ステップは、前記測位補助情報、ホーム公衆移動通信網（ＰＬＭＮ）及び目標端末のＩＰ情報、そして位置情報要請命令をカプセル化して伝送することを特徴とする請求項３５記載の移動端末機の位置決定方法。
【請求項６１】
前記測位補助情報は、前記訪問公衆移動通信網（ＰＬＭＮ）を通じて前記目標端末に伝えられることを特徴とする請求項１記載の移動端末機の位置決定方法。
【手続補正２】
【補正対象書類名】明細書
【補正対象項目名】００２６
【補正方法】変更
【補正の内容】
【００２６】
前記の目的を達成するために、本発明で提供する移動端末機の位置決定方法は、クライアントの位置サービス要請に応答して位置決定対象端末、即ち位置を知りたい目標端末のホーム公衆移動通信網（ＰＬＭＮ）情報を確認する第１ステップと、前記ホーム公衆移動通信網（ＰＬＭＮ）情報に基づいて前記目標端末の訪問公衆移動通信網（ＰＬＭＮ）情報を確認する第２ステップと、前記訪問公衆移動通信網（ＰＬＭＮ）が測位補助情報を提供しない領域である場合、前記ホーム公衆移動通信網（ＰＬＭＮ）で訪問公衆移動通信網（ＰＬＭＮ）の無線局識別子のような概略的な位置情報を利用して前記訪問公衆移動通信網（ＰＬＭＮ）の測位補助情報を算出する第３ステップと、前記目標端末に前記測位補助情報を伝達する第４ステップと、を含むことを特徴とする。
【手続補正３】
【補正対象書類名】明細書
【補正対象項目名】００２７
【補正方法】変更
【補正の内容】
【００２７】
また、前記の目的を達成するために、本発明で提供する移動端末機の位置決定方法は、測位補助情報を提供しない公衆移動通信網（ＰＬＭＮ）に訪問中の目標端末の位置サービス要請に応答して前記訪問公衆移動通信網（ＰＬＭＮ）のサービスパケット無線サービス支援ノード（ＳＧＳＮ）が訪問位置登録サーバー（ＶＬＲ）から前記目標端末のホーム公衆移動通信網（ＰＬＭＮ）のルーティング情報を確認する第１ステップと、前記ルーティング情報を利用して前記サービスパケット無線サービス支援ノード（ＳＧＳＮ）が前記ホーム公衆移動通信網（ＰＬＭＮ）に前記目標端末の位置を計算するための測位補助情報を要請する第２ステップと、前記要請に応答してホーム公衆移動通信網（ＰＬＭＮ）で前記訪問公衆移動通信網（ＰＬＭＮ）の無線局識別子を利用して訪問公衆移動通信網（ＰＬＭＮ）の測位補助情報を算出する第３ステップと、前記目標端末に前記測位補助情報を伝達する第４ステップと、を含むことを特徴とする。
【国際調査報告】
2007520151.tif 000018
2007520151.tif 000019